(57)【要約】      （修正有）【課題】水道管への装着誤りを抑制できる水道管防食キット、防食スリーブ、防食スリーブ用の装着治具を提供する。【解決手段】水道管を貫通して形成した孔に装着される筒状の防食スリーブ２と、当該防食スリーブ２を前記孔に挿入するために用いる装着治具３、とを備え、前記防食スリーブ２は、前記孔への挿入方向での先端の内周部に係合部を備え、前記装着治具３は、前記防食スリーブ２に挿入する挿入軸部３２を備え、前記挿入軸部３２の外周部には、挿入された前記防食スリーブ２の前記係合部が係合する被係合部が設けられ、前記係合部は、前記挿入方向の先端に先端面２３１を有し、前記被係合部は、前記挿入軸部３２が前記防食スリーブ２に対して前記挿入方向の先端側から挿入された場合に、前記係合部の先端面２３１と当接することにより、この当接以後の挿入を規制する規制面３３１を有する。【選択図】図５
2019116911.tif 000002
【特許請求の範囲】
【請求項１】
水道管を貫通して形成した孔の内周面を防食すべく、当該孔に挿入して装着される筒状の防食スリーブと、当該防食スリーブを前記孔に挿入するために用いる装着治具、とを備え、
前記防食スリーブは、前記孔への挿入方向での先端の内周部に係合部を備え、
前記装着治具は、前記防食スリーブに挿入する挿入軸部を備え、
前記挿入軸部の外周部には、挿入された前記防食スリーブの前記係合部が係合する被係合部が設けられ、
前記係合部は、前記挿入方向の先端に先端面を有し、
前記被係合部は、前記挿入軸部が前記防食スリーブに対して前記挿入方向の先端側から挿入された場合に、前記係合部の先端面と当接することにより、この当接以後の挿入を規制する規制面を有する水道管防食キット。
【請求項２】
前記被係合部は、前記挿入軸部における前記挿入方向の先端側部分に設けられている、請求項１に記載の水道管防食キット。
【請求項３】
前記挿入軸部は、前記係合部の内径よりも径寸法の大きい大径部と、前記大径部よりも前記挿入方向の先端側に設けられ、前記大径部よりも径寸法の小さい小径部と、を備え、
前記大径部と前記小径部とは段部を介して連続しており、
前記被係合部は、前記小径部を含み、
前記規制面は、前記段部が有しており前記挿入方向の先端側を向いた面である、請求項１または２に記載の水道管防食キット。
【請求項４】
筒状の防食スリーブに挿入可能な挿入軸部であって、規制面を有する被係合部を外周部に備える挿入軸部を備えた装着治具を用いて、水道管を貫通して形成した孔に挿入されて装着されることで当該孔の内周面を防食する防食スリーブであって、
前記孔への挿入方向での先端の内周部に、前記被係合部に係合する係合部を備え、
前記係合部は、前記挿入方向の先端に、前記装着治具の挿入軸部が前記挿入方向の先端側から挿入された場合に、前記規制面に当接する先端面を備える防食スリーブ。
【請求項５】
水道管を貫通して形成した孔への挿入方向の先端の内周部に設けられ、前記挿入方向の先端に先端面を有する係合部を備える筒状の防食スリーブを、前記孔に挿入して装着するための防食スリーブ用の装着治具であって、
前記防食スリーブに挿入可能な挿入軸部を備え、当該挿入軸部は、挿入された防食スリーブの係合部と係合する被係合部を外周部に備え、
前記被係合部は、前記防食スリーブに対して前記挿入方向の先端側から前記挿入軸部が挿入された場合に、前記防食スリーブの前記先端面に当接することにより、この当接以後の挿入を規制する規制面を備える防食スリーブ用の装着治具。
【発明の詳細な説明】
【技術分野】
【０００１】
本発明は、水道管を分岐させる工事に伴い使用される水道管防食キット、防食スリーブ、防食スリーブ用の装着治具に関するものである。
【背景技術】
【０００２】
従来、例えば特許文献１に記載された防食スリーブが存在する。この防食スリーブは、水道管に分水栓を設ける等により水道管を分岐させる工事を行う際、通水中の水道管を貫通して形成（穿孔）した孔において、水道管を構成する金属が露出している内周面を防食するために、当該孔に挿入して装着される。特許文献１に記載の防食スリーブは、筒状体である金属スリーブの外周に筒状体である樹脂スリーブを設けた形態である。この形態の防食スリーブを前記孔へ挿入することにより、樹脂スリーブの外周面が前記孔の内周面に密着することで防食できる。
【０００３】
この防食スリーブは、樹脂スリーブに金属スリーブが挿入方向に圧入されることで、前記孔に対して固着されるよう構成されている。このため、防食スリーブは挿入方向に対して非対称の形状とされている。水道管への装着に当たり、装着治具の先端に防食スリーブをセットした状態とされ、この状態の装着治具を水道管に対して叩き込むかねじ込むことで防食スリーブを水道管に装着できる。
【先行技術文献】
【特許文献】
【０００４】
【特許文献１】特開２００１−３０４４８７号公報
【発明の概要】
【発明が解決しようとする課題】
【０００５】
しかしながら、特許文献１に記載の防食スリーブでは、金属スリーブの内径寸法は挿入方向の一方側でも他方側でも同じであったから、防食スリーブを本来と逆向きに装着治具に取り付けることも可能であった。このため、作業者がミスに気付かず装着作業を行った結果、水道管への装着誤りが生じる可能性があった。装着誤りが生じると、樹脂スリーブの外周面が前記孔の内周面に密着されることが不完全になるため、前記孔の防食ができなくなるし、誤って取り付けられた防食スリーブを通水中の水道管から取り外さなくてはならなくなるので、作業者に大変な作業が強いられる可能性があった。
【０００６】
そこで本発明は、水道管への装着誤りを抑制できる水道管防食キット、防食スリーブ、防食スリーブ用の装着治具を提供することを課題とする。
【課題を解決するための手段】
【０００７】
本発明は、水道管を貫通して形成した孔の内周面を防食すべく、当該孔に挿入して装着される筒状の防食スリーブと、当該防食スリーブを前記孔に挿入するために用いる装着治具、とを備え、前記防食スリーブは、前記孔への挿入方向での先端の内周部に係合部を備え、前記装着治具は、前記防食スリーブに挿入する挿入軸部を備え、前記挿入軸部の外周部には、挿入された前記防食スリーブの前記係合部が係合する被係合部が設けられ、前記係合部は、前記挿入方向の先端に先端面を有し、前記被係合部は、前記挿入軸部が前記防食スリーブに対して前記挿入方向の先端側から挿入された場合に、前記係合部の先端面と当接することにより、この当接以後の挿入を規制する規制面を有する水道管防食キットである。
【０００８】
また本発明は、筒状の防食スリーブに挿入可能な挿入軸部であって、規制面を有する被係合部を外周部に備える挿入軸部を備えた装着治具を用いて、水道管を貫通して形成した孔に挿入されて装着されることで当該孔の内周面を防食する防食スリーブであって、前記孔への挿入方向での先端の内周部に、前記被係合部に係合する係合部を備え、前記係合部は、前記挿入方向の先端に、前記装着治具の挿入軸部が前記挿入方向の先端側から挿入された場合に、前記規制面に当接する先端面を備える防食スリーブである。
【０００９】
また本発明は、水道管を貫通して形成した孔への挿入方向の先端の内周部に設けられ、前記挿入方向の先端に先端面を有する係合部を備える筒状の防食スリーブを、前記孔に挿入して装着するための防食スリーブ用の装着治具であって、前記防食スリーブに挿入可能な挿入軸部を備え、当該挿入軸部は、挿入された防食スリーブの係合部と係合する被係合部を外周部に備え、前記被係合部は、前記防食スリーブに対して前記挿入方向の先端側から前記挿入軸部が挿入された場合に、前記防食スリーブの前記先端面に当接することにより、この当接以後の挿入を規制する規制面を備える防食スリーブ用の装着治具である。
【００１０】
前記各構成によると、防食スリーブが挿入方向と逆向きで装着治具にセットされる、つまり、挿入軸部が防食スリーブに対して先端側から挿入されると、防食スリーブの先端面が挿入軸部の規制面に当接するため、それ以上の挿入が規制される。よって作業者は、装着治具に対して本来と逆向きに防食スリーブを取り付けていることを確実に認識できる。
【００１１】
また、前記被係合部は、前記挿入軸部における前記挿入方向の先端側部分に設けられることができる。
【００１２】
前記構成によると、逆向きの防食スリーブに対する挿入軸部の挿入が、挿入軸部の先端側部分で挿入初期に規制される。よって作業者は、装着治具に対して本来の向きとは逆向きに防食スリーブを取り付けていることを早期かつ確実に認識できる。
【００１３】
また、前記挿入軸部は、前記係合部の内径よりも径寸法の大きい大径部と、前記大径部よりも前記挿入方向の先端側に設けられ、前記大径部よりも径寸法の小さい小径部と、を備え、前記大径部と前記小径部とは段部を介して連続しており、前記被係合部は、前記小径部を含み、前記規制面は、前記段部が有しており前記挿入方向の先端側を向いた面とできる。
【００１４】
前記構成によると、逆向きの防食スリーブに対して挿入軸部を挿入した場合に、係合部が小径部に嵌ったところで、防食スリーブの先端面が挿入軸部における規制面に当接することにより、挿入の規制が有効になされる。
【発明の効果】
【００１５】
本発明によると、作業者は、装着治具に対して本来と逆向きに防食スリーブを取り付けていることを確実に認識できる。このため、水道管への装着誤りを有効に抑制できる。
【図面の簡単な説明】
【００１６】
【図１】本発明の一実施形態に係る水道管防食キットを構成する防食スリーブを示す、側面視における縦半断面図である。
【図２】前記水道管防食キットを構成する装着治具を示す、側面視における縦半断面図である。
【図３】図２における下部を拡大して示した図である。
【図４】前記水道管防食キットで装着治具に防食スリーブを正しく挿入した状態を示す縦断面図である。
【図５】前記水道管防食キットで装着治具に防食スリーブを誤って挿入した状態を示す縦断面図である。
【図６】サドル分水栓を取り付けた状態の水道管に前記防食スリーブを装着する要領について説明するための断面図である。
【図７】サドル分水栓を取り付けた状態の水道管に前記防食スリーブを装着する要領について説明するための断面図である。
【図８】サドル分水栓を取り付けた状態の水道管に前記防食スリーブを装着する要領について説明するための断面図である。
【図９】サドル分水栓を取り付けた状態の水道管に前記防食スリーブを装着する要領について説明するための断面図である。
【図１０】本発明の他の実施形態に係る水道管防食キットを示す縦断面図であって、（Ａ）は装着治具に防食スリーブを正しく挿入した状態を示し、（Ｂ）は装着治具に防食スリーブを誤って挿入した状態を示す。
【図１１】本発明の他の実施形態に係る水道管防食キットを示す縦断面図であって、（Ａ）は装着治具に防食スリーブを正しく挿入した状態を示し、（Ｂ）は装着治具に防食スリーブを誤って挿入した状態を示す。
【図１２】本発明の他の実施形態に係る水道管防食キットを示す縦断面図であって、（Ａ）は装着治具に防食スリーブを正しく挿入した状態を示し、（Ｂ）は装着治具に防食スリーブを誤って挿入した状態を示す。
【発明を実施するための形態】
【００１７】
まず、本発明に係る水道管防食キット１につき、一実施形態を取り上げて説明を行う。なお、下記における上下方向は、各図に示された上下方向に一致している。
【００１８】
本実施形態の水道管防食キット１は、図１に示す筒状の防食スリーブ２と図２に示す装着治具３とが組み合わせて構成されている。防食スリーブ２は、例えば通水中の水道管Ｐを貫通して孔Ｈを形成（穿孔）した場合に、この孔Ｈの内周面を防食すべく、孔Ｈに挿入して装着される。水道管Ｐに対する防食スリーブ２の挿入方向は、上方から下方に向かう方向である。以下、「挿入方向」との表現はこの挿入方向によっている。装着治具３は、防食スリーブ２を水道管Ｐの孔Ｈに挿入することを補助するために用いられる。
【００１９】
防食スリーブ２は、樹脂スリーブ２Ａと金属スリーブ２Ｂとから構成されている。各スリーブ２Ａ，２Ｂは筒状体であって、図１に示す、水道管Ｐに装着する前の単体状態で、樹脂スリーブ２Ａの上部に対して金属スリーブ２Ｂの下部が挿入された状態で組み合わされている。よって防食スリーブ２は、上部に金属スリーブ２Ｂが、下部に樹脂スリーブ２Ａが位置している。本実施形態では樹脂スリーブ２Ａがポリエチレン樹脂から形成されており、金属スリーブ２Ｂがステンレス鋼から形成されている。しかし、各スリーブ２Ａ，２Ｂの素材はこれに限定されず、種々に変更することができる。
【００２０】
樹脂スリーブ２Ａの内周部には外側段部２１が形成されている。一方、金属スリーブ２Ｂの外周部には内側段部２２が形成されている。図１に示す、樹脂スリーブ２Ａと金属スリーブ２Ｂとが組み合わされた状態では、樹脂スリーブ２Ａの外側段部２１と金属スリーブ２Ｂの内側段部２２とが係合している。この係合により、防食スリーブ２を装着治具３に取り付ける前に、金属スリーブ２Ｂが不意に樹脂スリーブ２Ａに押し込まれてしまうことを抑制できる。よって、防食スリーブ２の形態を維持できる。
【００２１】
樹脂スリーブ２Ａは、図１に示すように、下部において外径寸法及び内径寸法が縮小するように絞られた形状とされている。そして、樹脂スリーブ２Ａの下端のうち内周部が係合部２３とされている。この係合部２３は、内径寸法が縮小した形状とされているため、樹脂スリーブ２Ａの内周部に形成された凸条と言うこともできる。この係合部２３は、装着治具３の挿入軸部３２における被係合部としての凹溝３３に係合する部分である。この係合部２３は、下端に先端面２３１を有している。本実施形態の先端面２３１は水平面とされている。この先端面２３１は防食スリーブ２を誤って逆に装着治具３に挿入した場合、挿入を阻止する作用を奏する部分である。
【００２２】
樹脂スリーブ２Ａの下部において内面は傾斜面２４となっている。この傾斜面２４は、上方が大径で下方が小径となるような面である。このため、防食スリーブ２を正しい方向で装着治具３へ挿入する際は、引っ掛かりが生じにくくスムーズな挿入が可能である（図４参照）。また、図５に示す誤った挿入状態から防食スリーブ２を取り外す際にも、この傾斜面２４によって挿入軸部３２に沿うように防食スリーブ２を滑らせることができるため、取り外しがしやすくなっている。
【００２３】
装着治具３は、作業者から離れた位置に防食スリーブ２を配置できる挿入機Ｍが有する軸（一部を図６〜図９に示す）の先端に取り付けられる。この取り付けは本実施形態では螺合によりなされる。このため、装着治具３はねじ軸３１を上部に備える。また装着治具３は、防食スリーブ２に挿入する挿入軸部３２を下部に備える。挿入軸部３２は略円筒形とされている。挿入軸部３２の下端部分には径寸法の絞られたテーパ部３２４が形成されている。このテーパ部３２４により、挿入軸部３２に防食スリーブ２を挿入することが容易である。
【００２４】
挿入軸部３２の外周部のうち下端部分には、外周面から径内方向に凹んだ凹溝３３が形成されている。この凹溝３３は、挿入軸部３２の外周部において全周にわたって（連続して）形成されている。これにより挿入軸部３２は、防食スリーブ２における係合部２３の内径よりも径寸法の大きい大径部３２１と、大径部３２１よりも下側に設けられ、大径部３２１よりも径寸法の小さい小径部３２２とを備える。この小径部３２２は凹溝３３の一部である。大径部３２１と小径部３２２とは段部３２３を介して連続している。一方、本実施形態の凹溝３３は、挿入軸部３２に挿入された防食スリーブ２の係合部２３が係合する被係合部として機能する。このため、被係合部としての凹溝３３は、前記小径部３２２を含む。
【００２５】
また、この被係合部としての凹溝３３は規制面３３１を有する。本実施形態では、凹溝３３を構成する面のうち上側の面（下方を向いた面）である。別の表現をすると、この規制面３３１は、前記大径部３２１と小径部３２２との間に位置する段部３２３が有しており、下側を向いた面である。規制面３３１は図３に示すように、挿入軸部３２の外周面に対して直交した面とされている。そしてこの規制面３３１は、挿入軸部３２が防食スリーブ２に対して、防食スリーブ２基準で下側（つまり、挿入方向の先端側）から挿入された場合に、防食スリーブ２における係合部２３の先端面２３１と当接することにより、この当接以後の挿入を規制する。すなわち、前記当接によって防食スリーブ２の誤った挿入が阻止される。
【００２６】
凹溝３３を構成する面のうち下側の面（上方を向いた面）３３２は、挿入軸部３２の外周面に対して鈍角に交わる面、つまり、外周側の方が下方に位置する傾斜面とされている。このような面とされたことにより、装着治具３から防食スリーブ２を抜く際の抵抗を、例えば垂直面であった場合に比べて小さくできる。このため、防食スリーブ２を水道管Ｐに装着した後に、装着治具３を上方に抜きやすい（図８に示す状態から図９に示す状態への移行）。また、図５に示すように挿入軸部３２に防食スリーブ２を誤って挿入した際も、装着治具３から防食スリーブ２を取り外しやすい。
【００２７】
凹溝３３（または被係合部）が設けられる前記「下端部分」に関しては、挿入軸部３２に対して防食スリーブ２を正しく挿入した場合に、下方に突出する挿入軸部３２の一部の突出量を少なくでき、しかも、挿入軸部３２に対して防食スリーブ２を逆向きに挿入した場合に、挿入が短期のうちに（具体的には奥まで挿入されない段階で）阻止されるような部分とされることが好ましい。
【００２８】
水道管防食キット１は以上のように構成されている。施工時の正しい挿入状態（挿入方向の基端側から装着治具３に挿入した状態）は図４に示す状態である。一方、誤った挿入状態（挿入方向の先端側から装着治具３に挿入した状態）は図５に示す状態である。両状態は外観上全く異なっている。また、図５に示す状態から上方に防食スリーブ２を挿入することはできない。このため、作業者は誤った挿入をしたことに気付きやすい。
【００２９】
正しい挿入状態の場合で、サドル分水栓Ｓを取り付けた状態の水道管Ｐに防食スリーブ２を装着する要領について説明する。図６は、図４に示すように防食スリーブ２が取り付けられた装着治具３がサドル分水栓Ｓの内部を通過中の状態を示す。図７は、樹脂スリーブ２Ａが水道管Ｐに形成された孔Ｈに挿入された状態を示す。この状態ではまだ、防食スリーブ２が水道管Ｐの孔Ｈに対して固着した状態になっていない。図８は、挿入機Ｍの軸を作業者がハンマー等で打撃する、または、当該軸がねじ軸である場合はねじ込むことにより、樹脂スリーブ２Ａに対して金属スリーブ２Ｂが圧入された状態を示す。この状態で樹脂スリーブ２Ａは水道管Ｐの孔Ｈの内周面に対して圧着される。これにより、防食スリーブ２が水道管Ｐの孔Ｈに対して固着される。図８の状態では、装着治具３に打撃力またはねじ込みによる力が働いたため、挿入軸部３２は水道管Ｐの内周位置にまで入り込んだ状態となっている。その後、図９に示すように、挿入機Ｍの軸と共に装着治具３を上方に移動させる。これに伴い、水道管Ｐに固着した防食スリーブ２から装着治具３が引き抜かれ、防食スリーブ２は水道管Ｐに固着した状態で残存する。以上で防食スリーブ２の装着は完了する。
【００３０】
以上、本発明の実施形態について、いくつかの例を挙げて説明したが、本発明は前記各例に限定されるものではなく、本発明の要旨を逸脱しない範囲内において種々の変更を加えることができる。
【００３１】
例えば、図１０（Ａ）（Ｂ）に示すように、防食スリーブ２の係合部２３につき、前記実施形態と同様に、樹脂スリーブ２Ａの下部において内径寸法が縮小するものの、外径寸法は縮小しない形態とすることもできる。
【００３２】
また、図１１（Ａ）（Ｂ）に示すように、防食スリーブ２の係合部２３につき、樹脂スリーブ２Ａの下部において内周方向かつ水平方向に突出した形態とすることもできる。
【００３３】
また、図１２（Ａ）（Ｂ）に示すように、防食スリーブ２の係合部２３につき、樹脂スリーブ２Ａの下部において、一旦内周方向かつ斜め下方向に延びた上で、内周方向かつ水平方向に突出した形態とすることもできる。以上、係合部２３は種々の形態とすることができる。
【符号の説明】
【００３４】
１          水道管防食キット
２          防食スリーブ
２３        係合部
２３１      先端面
３          装着治具
３２        挿入軸部
３２１      大径部
３２２      小径部
３２３      段部
３３        凹部（被係合部）
３３１      規制面
Ｐ          水道管
Ｈ          孔
【図１】
2019116911.tif 000003
【図２】
2019116911.tif 000004
【図３】
2019116911.tif 000005
【図４】
2019116911.tif 000006
【図５】
2019116911.tif 000007
【図６】
2019116911.tif 000008
【図７】
2019116911.tif 000009
【図８】
2019116911.tif 000010
【図９】
2019116911.tif 000011
【図１０】
2019116911.tif 000012
【図１１】
2019116911.tif 000013
【図１２】
2019116911.tif 000014